(57)【特許請求の範囲】
【請求項１】
ワイヤレス通信デバイス上で同時の手順をスケジューリングするための方法であって、
第１の転送ブロックおよび第２の転送ブロックを備える転送回線を介して通信することと、
アイドルブロックを備えるアイドル回線を用いた離れる同調手順を行うことと、ここにおいて前記アイドルブロックは前記第１の転送ブロックおよび前記第２の転送ブロックと時間的に重複するもので、離れる同調手順を行うことは、前記転送回線から前記アイドル回線に離れるように同調することと、前記アイドル回線を介して通信することと、前記転送回線へ戻るように同調することとを備える、
前記第１の転送ブロックおよび前記第２の転送ブロックとの前記アイドルブロックの前記重複に基づいて、前記第１の転送ブロックまたは第２の転送ブロックのうちの１つの間に生じる前記離れる同調手順を取り消すことを決定することと、
前記決定に応答して前記離れる同調手順を取り消すことと
を備える、方法。
【請求項２】
前記アイドル回線を介して通信することは、共通制御チャネルを介して通信することを備える、請求項１に記載の方法。
【請求項３】
前記共通制御チャネルは、ページングチャネル、ブロードキャスト制御チャネル、および共有チャネルの１つである、請求項２に記載の方法。
【請求項４】
前記アイドル回線に離れるように同調することと、前記アイドル回線を介して通信することと、前記転送回線へ戻るように同調することとは、前記第１の転送ブロックの間に複数回生じる、請求項１から３のいずれかに記載の方法。
【請求項５】
前記アイドル回線との前記離れる同調手順を行う間に、前記第２の転送ブロックが失われる、請求項１から４のいずれかに記載の方法。
【請求項６】
前記第１の転送ブロックおよび前記第２の転送ブロックは複数の転送フレームを備え、前記アイドルブロックは複数の制御フレームを備える、請求項５に記載の方法。
【請求項７】
前記第１の転送ブロックの前記転送フレームは、前記アイドルブロックの前記制御フレームと揃えられていない、請求項６に記載の方法。
【請求項８】
前記離れる同調手順は、前記複数の制御フレームの最初のフレームの間に、または前記複数の制御フレームの最後のフレームの間に取り消される、請求項６または７に記載の方法。
【請求項９】
音声データ送信とユーザデータ送信の１つが、前記転送回線を介して受信される、請求項１から８のいずれかに記載の方法。
【請求項１０】
前記転送回線は第１の基地局に対応し、前記アイドル回線は第２の基地局に対応する、または、前記転送回線および前記アイドル回線は単一の基地局に対応する、請求項１から９のいずれかに記載の方法。
【請求項１１】
前記転送回線は第１の加入者識別モジュールモードで動作することに対応し、前記アイドル回線は第２の加入者識別モジュールモードでの動作に対応する、請求項１から１０のいずれかに記載の方法。
【請求項１２】
単一の送受信機で行われる、請求項１から１１のいずれかに記載の方法。
【請求項１３】
ワイヤレス通信デバイス上で同時の手順をスケジューリングするための装置であって、
プロセッサと、
前記プロセッサと電子通信しているメモリと、
前記メモリに記憶された複数の命令とを備え、前記複数の命令は、
請求項１から１２のいずれかに記載の方法を実施すること
をするように前記プロセッサによって実行される、装置。
【請求項１４】
ワイヤレス通信デバイス上で同時の手順をスケジューリングするためにプロセッサによって実行可能なコンピュータプログラムであって、
請求項１から１２のいずれかに記載の方法を実施するためのコードを備える、コンピュータプログラム。
【発明の詳細な説明】
【優先権の主張および関連出願の相互参照】
【０００１】
[0001]  本特許出願は、２０１２年１１月１日に出願された米国仮出願第６１／７２１，１１８号の優先権および利益を主張する。本特許出願はまた、２０１３年１月１１日に出願された米国非仮出願第１３／７３９，７３８号および２０１３年２月４日に出願された米国非仮出願第１３／７５８，７１９号に関連し、かつこれらの一部継続出願である。前記出願の全ては、適用可能な全ての目的のために以下に完全に述べられたかのように参照によって本明細書に組み込まれる。
【技術分野】
【０００２】
[0002]  本出願で論じられる技術は、全般に通信システムに関し、より具体的には、ワイヤレス通信デバイス上での複数の回線手順(subscription procedures)を最適化ケジューリングするためのシステムおよび方法に関する。
【背景技術】
【０００３】
[0003]  ワイヤレス通信システムは、世界中の多くの人々が通信するようになるための重要な手段となっている。ワイヤレス通信システムは、各々が基地局によってサービスされ得る多数のモバイルデバイスに対する通信を提供し得る。
【０００４】
[0004]  ワイヤレス通信システム内で、基地局は音声データ、ユーザデータ、および／または制御データのようなデータをワイヤレスネットワーク中に存在するモバイルデバイスに定期的に送信し得る。いくつかの例では、モバイルデバイスが複数セットのデータを場合によって複数の基地局から受信し得る。例えば、モバイルデバイスは複数の回線(subscriptions)を同時に維持し得る。モバイルデバイスがどのように複数の回線を維持するかを改善することで恩恵が実現され得る。
【発明の概要】
【０００５】
[0005]  以下は、議論される技術の基本的な理解を提供するために本開示のいくつかの態様の概要を示すものである。この概要は、本開示の全ての企図された特徴の包括的概観ではなく、本開示の全ての態様の主要または重要な要素を識別したり、本開示のいずれかあるいは全ての態様の範囲を定めたりすることを意図されない。その唯一の目的は、後で提示されるより詳細な説明の導入として、本開示の１つまたは複数の態様のいくつかの概念を概要の形式で提示することである。
【０００６】
[0006]  ワイヤレス通信デバイス上で同時の手順(concurrent procedures)をスケジューリングするための方法が説明される。この方法は、第１の回線を介して通信することを含む。第２の回線との同時のバーストレベルの離れる同調手順が行われる。この方法はまた、第１の回線を介して通信することに戻ることを含む。
【０００７】
[0007]  第２の回線との同時のバーストレベルの離れる同調手順を行うことは、第２の回線に離れるように同調することと、第２の回線を介して同時に通信することと、第１の回線へ戻るように同調することとを含み得る。第２の回線を介して通信することは、共通制御チャネルを介して通信することを含み得る。共通制御チャネルは、ページングチャネル、ブロードキャスト制御チャネル、および共有チャネルの１つであり得る。
【０００８】
[0008]  第１の回線は転送回線であってよく、第２の回線はアイドル回線であってよい。転送回線は第１の転送ブロックを含み得る。アイドル回線はアイドルブロックを含み得る。第１の転送ブロックはアイドルブロックと重複し得る。アイドル回線に離れるように同調することと、アイドル回線を介して同時に通信することと、転送回線へ戻るように同調することは、第１の転送ブロックの間に複数回生じ得る。
【０００９】
[0009]  転送回線は第２の転送ブロックも含み得る。第２の回線との同時のバーストレベルの離れる同調手順を行う間に、第２の転送ブロックが失われることがある。第１の転送ブロックおよび第２の転送ブロックは複数の転送フレームを含み得る。アイドルブロックは複数の制御フレームを含み得る。第１の転送ブロックの転送フレームは、アイドルブロックの制御フレームと揃えられていないことがある。第２の回線との同時のバーストレベルの離れる同調手順を行うことは、複数の制御フレームの最初のフレームの間に取り消されることがある。第２の回線との同時のバーストレベルの離れる同調手順を行うことは、複数の制御フレームの最後のフレームの間に取り消されることがある。
【００１０】
[0010]  音声データ送信とユーザデータ送信の１つが、転送回線を介して受信され得る。第１の回線は第１の基地局に対応してよく、第２の回線は第２の基地局に対応してよい。第１の回線および第２の回線は代わりに、単一の基地局に対応してよい。第１の回線は、第１の加入者識別モジュールモードでの動作に対応してよく、第２の回線は第２の加入者識別モジュールモードでの動作に対応してよい。方法は、単一の送受信機で行われ得る。
【００１１】
[0011]  ワイヤレス通信デバイス上で同時の手順をスケジューリングするための装置も説明される。この装置は、プロセッサと、プロセッサと電子通信しているメモリと、メモリに記憶された複数の命令とを含む。これら命令は、第１の回線を介して通信するようにプロセッサによって実行可能である。これら命令はまた、第２の回線との同時のバーストレベルの離れる同調手順を行うようにプロセッサによって実行可能である。これら命令はさらに、第１の回線を介して通信することに戻るようにプロセッサによって実行可能である。
【００１２】
[0012]  ワイヤレス通信デバイス上で同時の手順をスケジューリングするためのコンピュータプログラム製品が説明される。このコンピュータプログラム製品は、複数の命令を有する非一時的コンピュータ可読媒体を含む。これら命令は、ワイヤレス通信デバイスに、第１の回線を介して通信させるためのコードを含む。これら命令はまた、ワイヤレス通信デバイスに、第２の回線との同時のバーストレベルの離れる同調手順を行わせるためのコードを含む。これら命令はさらに、ワイヤレス通信デバイスに、第１の回線を介して通信することへ戻させるためのコードを含む。
【００１３】
[0013]  ワイヤレス通信デバイス上で同時の手順をスケジューリングするために構成される装置も説明される。この装置は、第１の回線を介して通信するための手段を含む。この装置はまた、第２の回線との同時のバーストレベルの離れる同調手順を行うための手段を含む。この装置はさらに、第１の回線を介して通信することに戻るための手段を含む。
【００１４】
[0014]  本発明の特定の例示的な実施形態の以下の説明を添付の図と併せて検討すれば、当業者には、本発明の他の態様、特徴、および実施形態が明らかになるはずである。本発明の特徴が、以下のいくつかの実施形態および図に関して論じられ得るが、本発明の全ての実施形態は、本明細書で論じられる有利な特徴のうちの１つまたは複数を含み得る。言い換えれば、１つまたは複数の実施形態が、いくつかの有利な特徴を有するものとして論じられ得るが、そのような特徴のうちの１つまたは複数はまた、本明細書で論じられる本発明の様々な実施形態に従って使用され得る。同様に、例示的な実施形態が、以下ではデバイス、システム、または方法の実施形態として論じられ得るが、そのような例示的な実施形態は、様々なデバイス、システム、および方法で実装され得ることを理解されたい。
【図面の簡単な説明】
【００１５】
【図１】本明細書で開示されるシステムおよび方法が利用され得るワイヤレス通信システムの例を示す図。
【図２】本発明のいくつかの実施形態による、複数の回線手順をスケジューリングするための方法の流れ図。
【図３】本発明のいくつかの実施形態による、複数の回線手順をスケジューリングするためのより詳細な方法の流れ図。
【図４】本発明のいくつかの実施形態による、転送回線とアイドル回線とを示すブロック図。
【図５】本発明のいくつかの実施形態による、転送回線とアイドル回線との無線ブロック間でのバーストレベルの同調の一例を示すブロック図。
【図６】本発明のいくつかの実施形態による、転送回線上の無線ブロックとアイドル回線上の無線ブロック間でのバーストレベルの同調の別の例を示すブロック図。
【図７】本発明のいくつかの実施形態による、転送回線上の無線ブロックとアイドル回線上の無線ブロック間でのバーストレベルの同調のさらに別の例を示すブロック図。
【図８】本発明のいくつかの実施形態による、転送回線上の無線ブロックとアイドル回線上の無線ブロック間でのバーストレベルの同調の別の例を示すブロック図。
【図９】本明細書で開示されるシステムおよび方法が利用され得るワイヤレス通信システムの別の例を示す図。
【図１０】ワイヤレス通信システムにおける送信機および受信機のブロック図。
【図１１】本発明のいくつかの実施形態による、ワイヤレス通信デバイス内に含まれ得るいくつかのコンポーネントを示す図。
【発明を実施するための形態】
【００１６】
詳細な説明
[0026]  図１は、本明細書で開示されるシステムおよび方法が利用され得る、ワイヤレス通信システム１００の例を示す。ワイヤレス通信システム１００は、第１の基地局１０２ａと、第２の基地局１０２ｂと、ワイヤレス通信デバイス１０４とを含み得る。ワイヤレス通信デバイス１０４は、ＧＳＭ（登録商標）／ＥＤＧＥ（ｇｌｏｂａｌ  ｓｙｓｔｅｍ  ｆｏｒ  ｍｏｂｉｌｅ  ｃｏｍｍｕｎｉｃａｔｉｏｎｓ／ｅｎｈａｎｃｅｄ  ｄａｔａ  ｒａｔｅｓ  ｆｏｒ  ＧＳＭ  ｅｖｏｌｕｔｉｏｎ）無線アクセスネットワーク（ＧＥＲＡＮ）のバーストレベルの同調を利用し得る。ＧＥＲＡＮのバーストレベルの同調は、ワイヤレス通信デバイス１０４が、ワイヤレス通信デバイス１０４によって同時に利用される複数の回線１１４ａ〜ｂで同時の手順を行うことを可能にし得る。
【００１７】
[0027]  本明細書で使用される場合、「ワイヤレス通信デバイス」という用語は、ワイヤレス通信システム１００を通じた音声および／またはデータ通信のために使用され得る、電子デバイスを指す。ワイヤレス通信デバイス１０４の例は、アクセス端末、クライアントデバイス、クライアント局などを含んでよく、他の通信デバイス（例えば、基地局１０２およびワイヤレス通信デバイス１０４）とワイヤレスに通信してよい。いくつかのワイヤレス通信デバイス１０４は、局（ＳＴＡ）、モバイルデバイス、移動局（ＭＳ）、加入者局、ユーザ機器（ＵＥ）、遠隔局、アクセス端末、モバイル端末、端末、ユーザ端末、加入者ユニットなどと呼ばれ得る。ワイヤレス通信デバイス１０４のさらなる例は、ラップトップまたはデスクトップコンピュータ、セルラー電話、スマートフォン、ワイヤレスモデム、電子リーダー、タブレットデバイス、ゲームシステムなどを含む。
【００１８】
[0028]  さらに、「基地局」という用語は、ワイヤレス通信デバイス１０４と通信するために使用されるワイヤレス通信局を指す。基地局１０２は、代替的に、アクセスポイント（ナノセル、ピコセル、およびフェムトセルを含む）、Ｎｏｄｅ  Ｂ、ｅｖｏｌｖｅｄ  Ｎｏｄｅ  Ｂ（ｅＮｏｄｅＢ）、Ｈｏｍｅ  Ｎｏｄｅ  Ｂ、または何らかの他の類似の用語で呼ばれ得る。
【００１９】
[0029]  第１の基地局１０２ａは、第１の送信機１０６ａと、転送モジュール１０８と、第１のアンテナ１１０ａとを含み得る。第１の送信機１０６ａは、第１の基地局１０２ａからワイヤレス通信デバイス１０４に送信されるべき音声と、データと、他の信号とを処理して準備し得る。転送モジュール１０８は、音声データおよび／またはユーザデータのようなデータを、ワイヤレス通信デバイス１０４に送信し得る。例えば、転送モジュール１０８は、第１の送信機１０６ａおよび第１のアンテナ１１０ａを介して音声データを送信し得る。データは、第１の回線１１４ａを介してワイヤレス通信デバイス１０４に送信され得る。
【００２０】
[0030]  第２の基地局１０２ｂは、第２の送信機１０６ｂと、ページングモジュール１１２と、第２のアンテナ１１０ｂとを含み得る。第２の送信機１０６ｂは、第２の基地局１０２ｂからワイヤレス通信デバイス１０４に送信されるべき音声と、データと、他の信号とを処理して準備し得る。ページングモジュールは、ページメッセージを生成し、ワイヤレス通信デバイス１０４へ送出し得る。例えば、ページメッセージは、第２の送信機１０６ｂおよび第２のアンテナ１１０ｂを介して、ワイヤレス通信デバイス１０４に送信され得る。ページメッセージは、第２の回線１１４ｂを介してワイヤレス通信デバイス１０４に送信され得る。ワイヤレス通信システム１００は、ページメッセージを使用して、ページング情報を１つまたは複数のワイヤレス通信デバイス１０４にブロードキャストする。例えば、ページメッセージは、着信する音声呼をワイヤレス通信デバイス１０４に通知するために、ワイヤレス通信デバイス１０４に送信され得る。ページメッセージはまた、他のタイプの制御情報をワイヤレス通信デバイス１０４に渡し得る。
【００２１】
[0031]  ワイヤレス通信デバイス１０４は、デュアル加入者識別モジュール（ＳＩＭ）同調モジュール１１８と、転送受信モジュール１２０と、制御データ受信モジュール１２２と、アンテナ１２４とを含む、送受信機１１６を含み得る。送受信機１１６は、アンテナ１２４を介して、第１の基地局１０２ａおよび第２の基地局１０２ｂからの通信を送信し受信し得る。例えば、送受信機１１６は、第１の回線１１４ａおよび／または第２の回線１１４ｂと関連付けられる第１の基地局１０２ａから通信を受信し得る。いくつかの構成では、ワイヤレス通信デバイス１０４が複数の送受信機１１６を含み得る。これらの構成では、同調モジュール１１８が、さらなる回線との間で同調するように構成され得る。
【００２２】
[0032]  マルチＳＩＭ技術は、ワイヤレス通信デバイス１０４が複数の加入者識別モジュール（ＳＩＭ）カードを使用することを可能にする。従って、ワイヤレス通信デバイス１０４は、第１の回線１１４ａと通信する第１のＳＩＭカードと、第２の回線１１４ｂと通信する第２のＳＩＭカードとを利用し得る。他の構成では、追加のＳＩＭカードも利用され得る。加えて、通信デバイス１０４は、２つよりも多くの複数の回線と対話するように構成され得る。
【００２３】
[0033]  いくつかの構成で、ワイヤレス通信デバイス１０４は、第２の回線１１４ｂがアイドル状態である間に第１の回線１１４ａと通信し得る。例えば、ワイヤレス通信デバイス１０４は、ワイヤレス通信デバイス１０４は第２の回線１１４ｂを介してデータを送信または受信していない間に、第１の回線１１４ａを介して音声データを受信し得る。同様に、ワイヤレス通信デバイス１０４は、第１の回線１１４ａがアイドル状態である間に第２の回線１１４ｂを使用して通信し得る。ワイヤレス通信デバイス１０４は単一の送受信機１１６だけを有するので、ワイヤレス通信デバイス１０４は一度に１つの回線だけを受信するように同調し得る。
【００２４】
[0034]  別の例として、ワイヤレス通信デバイス１０４が音声データ（例えば、電話呼）を通信している場合、ワイヤレス通信デバイス１０４は、第１の回線１１４ａを介してデータを送信または受信していないことがある。アクティブなＳＩＭカードとアイドル状態のＳＩＭカードの切替えの処理は、デュアルＳＩＭデュアルスタンバイ（ＤＳＤＳ）と呼ばれ得る。マルチＳＩＭワイヤレス通信デバイス１０４のいくつかの構成では、ＳＩＭカードの１つまたは複数が、使用中でない間に、ホットスワップ可能であり得る。
【００２５】
[0035]  第１の回線１１４ａおよび第２の回線１１４ｂは、共通の無線アクセス技術（ＲＡＴ）または異なるＲＡＴに対応し得る。例えば、第１の回線１１４ａはＧＥＲＡＮ技術に対応し得るが、第２の回線１１４ｂはｌｏｎｇ−ｔｅｒｍ  ｅｖｏｌｕｔｉｏｎ（ＬＴＥ）技術に対応し得る。他の例として、第１の回線１１４ａと第２の回線１１４ｂの両方が、ＧＥＲＡＮ技術に対応し得る。
【００２６】
[0036]  デュアルＳＩＭ同調モジュール１１８は、ワイヤレス通信デバイス１０４が第１の回線１１４ａから第２の回線１１４ｂに、または第２の回線１１４ｂから第１の回線１１４ａに切り替える（例えば、同調する）ことを助ける。第１の回線１１４ａは転送回線に対応し得る。転送回線は、音声データおよび／またはユーザデータのようなデータを、ワイヤレス通信デバイス１０４へアクティブに送信または受信している回線であり得る。簡潔さのために、第１の回線１１４ａは本明細書では転送回線と呼ばれ得る。しかしながら、転送回線は、第２の回線１１４ｂ、または、基地局１０２とワイヤレス通信デバイス１０４との間でデータを転送する別の回線（図示されず）であり得ることを理解されたい。基地局１０２は、第１の基地局１０２ａ、第２の基地局１０２ｂ、または別の基地局（図示されず）であり得る。
【００２７】
[0037]  第２の回線１１４ｂはアイドル回線に対応し得る。アイドル回線は、ワイヤレス通信デバイス１０４上の単一の送受信機１１６が転送回線などの別の回線を介してデータを受信するように同調されているので、データを転送していない回線であり得る。本明細書における簡潔さのために、第２の回線１１４はアイドル回線と呼ばれ得る。さらに、このアイドル回線は第１の回線１１４ａ、または、基地局１０２とワイヤレス通信デバイス１０４との間でデータを転送する別の回線（図示されず）であり得ることを理解されたい。基地局は、第１の基地局１０２ａ、第２の基地局１０２ｂ、または別の基地局（図示されず）であり得る。
【００２８】
[0038]  本発明のシステムおよび方法によれば、ワイヤレス通信デバイス１０４は、バーストレベルの同調を利用して、第１の回線１１４ａと第２の回線１１４ｂの両方での手順を同時に行い得る。バーストレベルの同調はＧＥＲＡＮシステムで使用され得る。例として、バーストレベルの同調は、ワイヤレス通信デバイス１０４が、第２の回線１１４ｂで、近隣セルブロードキャストチャネル（ＢＣＣＨ）の読取り、またはページの読取りなどのような他の同時の活動を行うために、データ呼または音声呼を提供している可能性のある第１の回線１１４ａから離れるように同調することを可能にし得る。このようにして、バーストレベルの同調は、複数の回線１１４ａ〜ｂに対応する単一の送受信機１１６または単一の送信機１１６のみを有するワイヤレス通信デバイス１０４上での、効率的な同調とスケジューリングとを可能にする。加えて、本発明のシステムおよび方法はデュアルＳＩＭモードまたはマルチＳＩＭモードのワイヤレス通信デバイス１０４とともに利用されてよく、本発明のシステムおよび方法はまた、近隣のセルから情報を受信するために単一のＳＩＭモードで利用されてよい。
【００２９】
[0039]  バーストレベルの同調を利用することは、単一の送受信機１０４を伴うワイヤレス通信デバイス１０４が、転送回線のスループットに対する影響を最小限にして、短期間(short duration)のアイドル回線手順を行うことを可能にする。結果として、ページング受信手順は、マルチＳＩＭ同調を利用する現在の方法より改善される。しかしながら、ページングデータのスループット性能および音声／ユーザデータのスループット性能が、単一のＳＩＭのみを利用するシステムより低いことがある。
【００３０】
[0040]  改善された性能の例として、ページングチャネル（ＰＣＨ）の読取り、ＢＣＣＨの読取り、および同期チャネル（ＳＣＨ）の再確認のような、アイドル回線手順が、転送回線手順を行うことと同時に行われ得る。別の例として、バーストレベルの同調は、アイドル回線の電力測定が、使用されていないパケットタイミング事前制御チャネル（ＰＴＣＣＨ）スロットのような空いているスロットを使用して、転送回線で行われることを可能にし得る。加えて、バーストレベルの同調を利用することは、一時ブロックフロー（ＴＢＦ）中断モードを使用することに対する改善であり得、ＴＢＦ中断モードは、無線ブロックレベルで動作し、音声／ユーザデータのスループットのさらなる低下につながり得る。
【００３１】
[0041]  デュアルＳＩＭ同調モジュール１１８は、第１の回線１１４ａから第２の回線１１４ｂに同調し得る。例えば、デュアルＳＩＭ同調モジュール１１８は、アイドル回線に転送回線から離れて同調し得、また、アイドル回線から転送回線へ戻るように同調し得る。デュアルＳＩＭ同調モジュール１１８は、第２の基地局１０２ｂからメッセージを受信するためにアイドル回線に同調し得る。例えば、ワイヤレス通信デバイス１０４は、第２の回線１１４ｂを介して共通制御チャネルでページメッセージまたは他の制御メッセージを受信し得る。
【００３２】
[0042]  いくつかの構成では、第１の回線１１４ａから第２の回線１１４ｂに離れるように同調し、第１の回線１１４ａへ戻るように同調することが、バーストレベルで生じ得る。言い換えると、同調は例えばスロット毎のレベル上のような短いバーストにおいて生じ得る。離れるように同調することと戻るように同調することに関する追加の詳細が以下で論じられる。
【００３３】
[0043]  転送受信モジュール１２０は、ワイヤレス通信デバイス１０４において受信されるデータ（例えば、音声データおよび／またはユーザデータ）を受信し処理し得る。例えば、転送受信モジュール１２０は、ワイヤレス通信デバイス１０４が第１の回線１１４ａと通信するように同調されるときに利用され得る。
【００３４】
[0044]  制御データ受信モジュール１２２は、共通制御チャネルおよび／または他の制御タイプのチャネルに対応する、メッセージとデータとを受信し処理し得る。例えば、ワイヤレス通信デバイス１０４は、制御データ受信モジュール１２２を介してページメッセージを受信するために、第２の回線１１４ｂに同調し得る。
【００３５】
[0045]  図２は、本発明のいくつかの実施形態による、複数の回線手順をスケジューリングするための方法２００の流れ図である。方法２００はワイヤレス通信デバイス１０４によって行われ得る。例えば、図１に関して説明されたワイヤレス通信デバイス１０４は、方法２００を行い得る。
【００３６】
[0046]  ワイヤレス通信デバイス１０４は、第１の回線１１４ａを介して通信し得る（２０２）。第１の回線１１４ａは第１の基地局１０２ａに対応し得る。第１の回線１１４ａは、第１の基地局１０２ａとワイヤレス通信デバイス１０４との間で、音声データおよび／またはユーザデータのようなデータを転送し得る。第１の回線１１４ａは、例えば、ワイヤレス通信デバイス１０４の転送受信モジュール１２０において処理され得る。
【００３７】
[0047]  ワイヤレス通信デバイス１０４は、第２の回線１１４ｂとの同時のバーストレベルの離れる同調手順を行い得る（２０４）。第２の回線１１４ｂは、第２の基地局１０２ｂに対応でき、例えば、第２の基地局１０２ｂからワイヤレス通信デバイス１０４に、制御メッセージ（例えば、ページメッセージ）を提供できる。第２の回線１１４ｂは、ワイヤレス通信デバイス１０４の制御データ受信モジュール１２２において処理され得る。ワイヤレス通信デバイス１０４は、例えば、第１の回線１１４ａを介して受信されるデータを処理することと同時にページメッセージを処理するために、第２の回線１１４ｂに同調し得る。
【００３８】
[0048]  ワイヤレス通信デバイス１０４は、第１の回線１１４ａを介して通信することに戻り得る（２０６）。言い換えると、ワイヤレス通信デバイス１０４は第１の回線１１４ａへ戻るように同調し得る。例えば、ワイヤレス通信デバイス１０４は、音声データおよび／またはユーザデータのようなデータを再び転送するために、第１の回線１１４ａに戻り得る。
【００３９】
[0049]  図３は、本発明のいくつかの実施形態による、複数の回線手順をスケジューリングするためのより詳細な方法３００の流れ図である。方法３００はワイヤレス通信デバイス１０４によっ行われ得る。例えば、図１に関して説明されたワイヤレス通信デバイス１０４は、方法３００を行い得る。
【００４０】
[0050]  ワイヤレス通信デバイス１０４は、第１の回線１１４ａを介して通信し得る（３０２）。第１の回線１１４ａは、第１の基地局１０２ａに対応でき、音声データおよび／またはユーザデータのようなデータをワイヤレス通信デバイス１０４に提供できる。第１の回線１１４ａは、例えば、ワイヤレス通信デバイス１０４の転送受信モジュール１２０において処理され得る。
【００４１】
[0051]  ワイヤレス通信デバイス１０４は、第２の回線１１４ｂに同調し得る（３０４）。第２の回線１１４ｂは、第２の基地局１０２ｂに対応でき、ワイヤレス通信デバイス１０４にページメッセージを提供できる。例えば、ワイヤレス通信デバイス１０４は、第１の回線１１４ａを介して第１の基地局１０２ａから受信し、次いで、第１の回線１１４ａを介して受信することから離れるように同調するように送受信機１１６を調整してよく、第２の回線１１４ｂに同調してよい。
【００４２】
[0052]  ワイヤレス通信デバイス１０４は、第２の回線１１４ｂを介して同時に通信し得る（３０６）。例えば、第２の回線１１４ｂがページングチャネルに対応する場合、ワイヤレス通信デバイス１０４は、第２の回線１１４ｂを介して、ページメッセージ、またはページメッセージの一部を同時に受信し得る。いくつかの構成では、アイドル回線が、ブロードキャストチャネル（ＢＣＣＨ）、同期チャネル（ＳＣＨ）などの、他の共通制御チャネルに対応し得る。これらの構成では、制御データが１つまたは複数の制御フレーム４４２に配置され得る。
【００４３】
[0053]  ワイヤレス通信デバイス１０４は次いで、第１の回線１１４ａへ戻るように同調し得る（３０８）。例えば、ワイヤレス通信デバイス１０４は、第１の回線１１４ａへ戻るように送受信機１１６を同調し得る。ワイヤレス通信デバイス１０４は、第１の回線１１４ａを介して通信することに戻り得る（３１０）。
【００４４】
[0054]  同調の処理はバースト中に生じ得る。言い換えると、離れるように同調して戻るように同調することの持続期間(duration)は、１つのバースト長であり得る。例えば、ワイヤレス通信デバイス１０４は、あるバーストで第１の回線１１４ａから離れるように同調し、２番目のバーストで第２の回線を読み取り、３番目のバーストで第１の回線１１４ａへ戻るように同調し得る。バーストレベルの同調手順を利用することによって、ワイヤレス通信デバイス１０４は、第１の回線１１４ａおよび第２の回線１１４ｂでの同時のバーストレベルの離れる同調手順を行い得る。加えて、バーストの複数のセットが、ある無線ブロック内で発生し得る。従って、第１の回線１１４ａから離れるように同調することと第１回線１１４ａへと戻るように同調することは、単一の無線ブロックの期間内に生じ得る。バーストレベルの同調に関する追加の詳細が、以下で図５に関連して与えられる。
【００４５】
[0055]  図４は、本発明のいくつかの実施形態による、転送回線４１４ａとアイドル回線４１４ｂとを示すブロック図である。転送回線４１４ａおよびアイドル回線４１４ｂは、上で図１に関して説明された、第１の回線１１４ａおよび第２の回線１１４ｂにそれぞれ対応し得る。しかしながら、いくつかの構成では、転送回線４１４ａが、図１に関して説明された第２の回線１１４ｂまたは図示されない別の回線に対応し得ることを理解されたい。同様に、アイドル回線４１４ｂは、図１に関して説明された第１の回線１１４ａまたは図示されない別の回線に対応し得る。
【００４６】
[0056]  転送回線４１４ａは、１つまたは複数の無線ブロックを転送し得る。例えば、転送回線４１４ａは、第１の転送ブロック４３８ａ、第２の転送ブロック４３８ｂ、第３の転送ブロック４３８ｃ、第４の転送ブロック４３８ｄ、第５の転送ブロック４３８ｅ、第６の転送ブロック４３８ｆなどのような、無線ブロックを転送し得る。各転送ブロック４３８は、音声データおよび／またはユーザデータのような転送データ４４０ａ〜ｆを含み得る。例えば、転送データ４４０は、ｅｎｈａｎｃｅｄ  ｇｅｎｅｒａｌ  ｐａｃｋｅｔ  ｒａｄｉｏ  ｓｅｒｖｉｃｅ（ＥＧＰＲＳ）ネットワークを通じて送信され得る。各転送ブロック４３８は、１つまたは複数の転送フレーム４４４を含み得る。転送フレーム４４４は、図５に関連して以下でさらに詳細に説明される。
【００４７】
[0057]  アイドル回線４１４ｂは、１つまたは複数のアイドル無線ブロック（すなわち、アイドルブロック）を含み得る。例えば、転送回線４１４ａは、第１の制御ブロック４３０ａ、第２の制御ブロック４３０ｂ、第３の制御ブロック４３０ｃ、第４の制御ブロック４３０ｄなどのアイドルブロックを含み得る。各制御ブロック４３０は、１つまたは複数の転送フレーム４４２を含み得る。制御フレーム４４２は、制御ブロック４３０における１つのタイプのアイドルフレームであり得る。制御フレーム４４２は、図５に関連して以下でさらに詳細に説明される。
【００４８】
[0058]  アイドル回線４１４ｂ上の制御ブロック４３０は、ページングチャネル（ＰＣＨ）上に配置され得る。ページングチャネルは、１つまたは複数の制御メッセージ４３６を、ワイヤレス通信デバイス１０４に搬送し得る。制御メッセージ４３６は、複数の制御フレーム４４２のスパンにわたって受信され得る。例えば、制御メッセージ４３６は、第２の制御ブロック４３０ｂで受信され得る。いくつかの構成では、アイドル回線４１４ｂが、ブロードキャストチャネル（ＢＣＣＨ）、同期チャネル（ＳＣＨ）、または別のタイプの制御チャネルに対応し得る。
【００４９】
[0059]  いくつかの構成では、転送ブロック４３８ａ〜ｆおよび制御ブロック４３０ａ〜ｄが各々、持続期間において１８．４６ミリ秒（ｍｓ）であり得る。転送回線４１４ａおよびアイドル回線４１４ｂは揃えられていないことがある。言い換えると、転送回線４１４ａ上の無線ブロックは、アイドル回線４１４ｂ上の無線ブロックと時間的に揃えられていない（時間整列されていない）ことがある。例えば、第１の制御ブロック４３０ａ中の第１の制御フレーム４４２は、転送ブロック４３８ａ〜ｆのいずれかの中の最初の転送フレーム４４４と同じ瞬間に発生しないことがある。
【００５０】
[0060]  ワイヤレス通信デバイス１０４は、転送回線４１４ａを介して転送データ４４０を受信し得る。ワイヤレス通信デバイス１０４は、転送回線４１４ａから離れるように同調し（４３２）、制御メッセージ４３６を受信するためにアイドル回線４１４ｂに同調し得る。ワイヤレス通信デバイス１０４は次いで、アイドル回線４１４ｂから転送回線４１４ａへ戻るように同調し（４３４）、転送回線４１４ａと通信することに戻り、再び転送データ４４０を受信し得る。
【００５１】
[0061]  ＧＥＲＡＮ同調（ＧＴＡ）などの、ある構成では、ワイヤレス通信デバイス１０４が、複数の無線ブロックに対して、転送回線４１４ａから離れるように同調し得る（４３２）。言い換えると、ワイヤレス通信デバイス１０４は、制御メッセージ４３６を受信するために、複数の無線ブロック（例えば、制御ブロック４３０）に対してアイドル回線４１４ｂに同調し得る。
【００５２】
[0062]  ワイヤレス通信デバイス１０４は、着信するページのために、自身のページングサブチャネルを監視し得る。言い換えると、ワイヤレス通信デバイス１０４は、ワイヤレス通信システム１００によってワイヤレス通信デバイス１０４に割り当てられたページングサブチャネルを監視し得る。しかしながら、ワイヤレス通信デバイス１０４は、制御メッセージ４３６が到達する、自身のページングサブチャネル上の制御ブロック４３０を識別しないことがある。従って、ワイヤレス通信デバイス１０４は、必要以上に長い期間、転送回線４１４ａから離れるように同調する必要があり得る（４３２）。例えば、ワイヤレス通信デバイス１０４は、１つよりも多くの制御ブロック４３０の間、転送回線４１４ａからアイドル回線４１４ｂに離れるように同調する必要があり得る（４３２）。図４に示されるように、ワイヤレスデバイス１０４は、第１の制御ブロック４３０ａの間、アイドル回線４１４ｂに同調し得る（４３２）。制御メッセージ４３６は、第２の制御ブロック４３０ｂの間に受信され得る。いくつかの構成では、ワイヤレス通信デバイス１０４が、第３の制御ブロック４３０ｃの後、転送回線４１４ａへ戻るように同調し得る（４３４）。
【００５３】
[0063]  ワイヤレス通信デバイス１０４は、上で説明されたものとは異なる転送ブロック４３８および制御ブロック４３０において、アイドル回線４１４ｂに離れるように同調し（４３２）、制御メッセージ４３６を受信し、転送回線４１４ａへ戻るように同調し得る（４３４）ことを理解されたい。また、離れる同調４３２および戻る同調４３４は、ＧＳＭ／ＥＤＧＥ無線アクセスネットワーク（ＧＥＲＡＮ）システムにおいて、さらには、広帯域符号分割多元接続（ＷＣＤＭＡ（登録商標））システムのような他の通信システムにおいても利用され得ることを理解されたい。
【００５４】
[0064]  ワイヤレス通信デバイス１０４が転送回線４１４ａから離れるように同調される（４３２）各制御ブロック４３０では、ワイヤレス通信デバイス１０４が、転送回線４１４ａを介して転送データ４４０を受信していない。さらに、ワイヤレス通信デバイス１０４が、転送ブロック４３８の間に、転送回線４１４ａに離れるように同調する（４３２）場合、または転送回線４１４ａへと戻るように同調する（４３４）場合、ワイヤレス通信デバイス１０４は、その転送ブロック４３８においてネットワークによって送信された何らかのデータを失うことがある。例えば、ワイヤレス通信デバイス１０４が第２の転送ブロック４３８ｂの間に転送回線４１４ａから離れるように同調し（４３２）、第５の転送ブロック４３８ｅの間に転送回線４１４ａへと戻るように同調する（４３４）場合、第２の転送ブロック４３８ｂ（例えば、第２の転送データ４４０ｂ）から第５の転送ブロック４３８ｅ（例えば、第５の転送データ４４０ｅ）において送信された何らかのデータが失われ、かつ／または使用不可能となることがある。この転送データ４４０の喪失は、一部は、不整列によってもたらされ得る。言い換えると、転送回線４１４ａとアイドル回線４１４ｂの不整列が、追加の転送ブロック４３８を失わせることが多い。これは、不整列が、複数の回線１１４間で同調するときに一部のフレーム（制御フレーム４４２および／または転送フレーム４４４）を失わせるからである。無線ブロックの単一のフレーム（制御ブロック４３０または転送ブロック４３８のような）が失われる場合であっても、無線ブロック全体のデータが失われることがある（例えば、制御メッセージ４３６または転送データ４４０）。
【００５５】
[0065]  加えて、ワイヤレス通信デバイス１０４は、第３の転送ブロック４３８ｃおよび第４の転送ブロック４３８ｄに対して転送回線４１４ａから離れるように同調され得る（４３２）ので、第３の転送データ４４０ｃ全体および第４の転送データ４４０ｄ全体も失われることがある。従って、図４に示される例では、１つまたは複数の転送フレーム４４４が各転送ブロック４３８において失われるので、第２の転送データ４４０ｂおよび第５の転送データ４４０ｅが失われる。さらに、転送フレーム４４４の全てが各転送ブロック４３８において失われるので、第３の転送データ４４０ｃおよび第４の転送データ４４０は失われる。
【００５６】
[0066]  図５は、本発明のいくつかの実施形態による、転送回線５１４ａとアイドル回線５１４ｂのどちらかに、バーストレベルの同調の一例を示すブロック図である。バーストレベルの同調はワイヤレス通信デバイス１０４によって行われ得る。例えば、図１に関して説明されたワイヤレス通信デバイス１０４は、バーストレベルの同調を行い得る。本明細書で使用されるように、「バーストレベル」という用語は、無線ブロックレベルではなく、スロットレベルおよびフレームレベルで生じるステップと手順とを指し得る。
【００５７】
[0067]  転送回線５１４ａは第１の回線１１４ａに対応してよく、アイドル回線５１４ｂは上の図１に関して説明された第２の回線１１４ｂに対応してよい。しかしながら、いくつかの構成では、転送回線５１４ａが、図１に関して説明された第２の回線１１４ｂまたは別の回線（図示せず）にも対応し得ることを、理解されたい。同様に、アイドル回線５１４ｂは、図１に関して説明された第１の回線１１４ａまたは別の回線（図示されず）に対応し得る。加えて、転送ブロック５３８およびページングブロック５３０は、図４に関して説明された転送ブロック４３８および制御ブロック４３０に対応してよく、あるいはそれらの例であってよい。例えば、転送ブロック５３８およびページングブロック５３０は、持続期間において１８．４６ミリ秒（ｍｓ）であり得る。
【００５８】
[0068]  転送回線５１４ａは、１つまたは複数の無線ブロックを含み得る。例えば、転送回線５１４ａは、転送ブロック５３８のような無線ブロックを含み得る。簡潔さのために、単一の転送ブロック５３８のみが示される。転送ブロック５３８は音声データおよび／またはユーザデータのような転送データ４４０を含み得る。各転送ブロック５３８は４つの転送フレーム５４４ａ〜ｄを含み得る。転送ブロック５３８は、第１の転送フレーム５４４ａと、第２の転送フレーム５４４ｂと、第３の転送フレーム５４４ｃと、第４の転送フレーム５４４ｄとを含み得る。
【００５９】
[0069]  各転送フレーム５４４は転送フレームスロット５５２を含み得る。各転送フレーム５４４の中には８個の転送フレームスロット５５２があり得る。簡潔さのために、図５では転送フレームスロットが個別に示されていない。各転送フレーム５４４において、ワイヤレス通信デバイス１０４は通常、最初の転送フレームスロット５５２から４番目の転送フレームスロット５５２までの間、転送データ４４０を受信し得る。ワイヤレス通信デバイス１０４は、各転送フレーム５４４の６番目の転送フレームスロット５５２の間、送信し得る。ワイヤレス通信デバイス１０４は、各転送フレーム５４４の８番目の転送フレームスロット５５２の間、測定を行い得る。例えば、ワイヤレス通信デバイス１０４は、各転送フレーム５４４の８番目の転送フレームスロット５５２の間、転送回線５１４ａの近隣のセルに対応するチャネル条件を測定し得る。
【００６０】
[0070]  ワイヤレス通信デバイス１０４は、種々の異なる構成で、受信、送信、測定などを行えることを理解されたい。例えば、ワイヤレス通信デバイス１０４は、最初の転送フレームスロット５５２の間に送信し、５番目から８番目の転送フレームスロット５５２の間に受信し得る。
【００６１】
[0071]  アイドル回線５１４ｂは、ページングブロック５３０のような１つまたは複数の無線ブロックを含み得る。簡潔さのために、単一のページングブロック５３０のみが示される。ページングブロック５３０は、第１のページングフレーム５４２ａ、第２のページングフレーム５４２ｂ、第３のページングフレーム５４２ｃ、および第４のページングフレーム５４２ｄのような、４個のページングフレーム５４２ａ〜ｄを含み得る。
【００６２】
[0072]  各ページングフレーム５４２は複数のページングフレームスロット５５０を含み得る。例えば、各ページングフレーム５４２の中には８個のページングフレームスロット５５０があり得る。簡潔さのために、図５ではページングフレームスロットが個別に示されていない。一構成では、各ページングフレーム５４２が、最初のページングフレームスロット５５０の間に、ページメッセージ５３６ａ〜ｄ、またはページメッセージ５３６の一部分を含み得る。ページメッセージ５３６はページングフレーム５４２の任意のページングフレームスロット５５０の間に受信され得ることを理解されたい。
【００６３】
[0073]  アイドル回線５１４ｂ上のページングブロック５３０は、ページングチャネル（ＰＣＨ）上に配置され得る。ページングチャネルは１つまたは複数のページメッセージ５３６をワイヤレス通信デバイス１０４に送信し得る。ページメッセージ５３６はページングフレーム５４２の１つに含まれ得る。例えば、ページメッセージ５３６は各ページングフレーム５３０の最初のページングフレームスロット５５０に含まれ得る。ページメッセージデータは最初のページングフレームスロット５５０とは異なるページングフレームスロット５５０に配置され得ることを理解されたい。例えば、ページングフレームは、スロット０、２、４、または６の中にあり得る。
【００６４】
[0074]  ワイヤレス通信デバイス１０４は、転送回線５１４ａとアイドル回線５１４ｂとの間でバーストレベルの同調を行い得る。ワイヤレス通信デバイス１０４は、転送回線５１４ａで転送データ４４０を受信し得る。例えば、ワイヤレス通信デバイス１０４は、第１の転送フレーム５４４ａの最初の転送フレームスロット５５２から２番目の転送フレームスロット５５２までの間に、転送データ４４０を受信し得る。
【００６５】
[0075]  ワイヤレス通信デバイス１０４は、第３の転送フレームスロット５５２の間に、転送回線５１４ａからアイドル回線５１４ｂへの第１の離れる同調５３２ａを行い得る。このようにして、ワイヤレス通信デバイス１０４は転送回線５１４ａからのバーストレベルの離れる同調を行い得る。ワイヤレス通信デバイス１０４はアイドル回線５１４ｂに同調し得る。ワイヤレス通信デバイス１０４は、アイドル回線５１４ｂの第１のページングフレーム５４２ａの最初のページングフレームスロット５５０の中のページメッセージ５３６ａを読み取り得る。
【００６６】
[0076]  ページングブロック５３０および転送ブロック５３８は揃えられていないことがある。言い換えると、第１のページングフレーム５４２ａの最初のページングフレームスロット５５０は、第１の転送フレーム５４４ａの最初の転送フレームスロット５５２と時間的に揃っていないことがある。しかしながら、第１のページングフレーム５４２ａの最初のページングフレームスロット５５０は、第１の転送フレーム５４４ａの４番目の転送フレームスロット５５２に時間的に対応することがある。言い換えると、第１のページングフレーム５４２ａの最初のページングフレームスロット５５０は、第１の転送フレーム５４４ａの４番目の転送フレームスロット５５２に時間的に揃えられ得る。転送ブロック５３８およびページングブロック５３０が揃えられていないときであっても、転送回線５１４ａ上の手順とアイドル回線５１４ｂ上の手順が同時に行われることを可能にするような方式で、バーストレベルの同調が利用され得る。
【００６７】
[0077]  ワイヤレス通信デバイス１０４は、転送回線５１４への第１の戻る同調５３４ａをバーストレベルで行い得る。例えば、ワイヤレス通信デバイス１０４は、第１の転送フレーム５４４ａの５番目の転送フレームスロット５５２の間に、転送回線５１４ａに同調し得る（５３４ａ）。従って、ワイヤレス通信デバイス１０４は、同じ転送フレーム５４４（例えば、第１の転送フレーム５４４ａ）の間に、転送回線５１４ａからの第１の離れる同調５３２ａと転送回線５１４ａへの第１の戻る同調５３４ａの両方を行い得る。このようにして、バーストレベルの同調は、ワイヤレス通信デバイス１０４が、転送回線５１４ａ上とアイドル回線５１４ｂ上の両方で手順を同時に行うことを可能にする。
【００６８】
[0078]  ワイヤレス通信デバイス１０４は、転送回線５１４ａとアイドル回線５１４ｂとの間でバーストレベルの同調を繰り返し得る。例えば、ワイヤレス通信デバイス１０４は、転送回線５１４ａの第２の転送フレーム５４４ｂの間に第２の離れる同調５３２ｂと第２の戻る同調５３４ｂとを行うことによって、第２の転送フレーム５４４ｂと第２のページングフレーム５４２ｂ間でのバーストレベルの同調を行い得る。同様に、バーストレベルの同調は、第３の転送フレーム５４４ｃと第３のページングフレーム５４２ｃの間に（第３の離れる同調５３２ｃと第３の戻る同調５３４ｃとを介して）、並びに第４の転送フレーム５４４ｄと第４のページングフレーム５４２ｄとの間に（第４の離れる同調５３２ｄと第４の戻る同調５３４ｄとを介して）行われ得る。
【００６９】
[0079]  バーストレベルの同調は、ワイヤレス通信デバイス１０４が、転送回線５１４ａとアイドル回線５１４ｂの両方で手順を同時に行うことを可能にする。転送データ４４０を含む複数の転送ブロック５３８を失うのでなく、単一の転送ブロック５３８だけを失うことへ影響が低減され得る。さらに、ＥＧＰＲＳネットワークなどでの転送データのスループット、およびページング受信性能が改善され得る。
【００７０】
[0080]  図６は、本発明のいくつかの実施形態による、転送回線６１４ａとアイドル回線６１４ｂ上の無線ブロック間でバーストレベルの同調の別の例を示すブロック図である。バーストレベルの同調はワイヤレス通信デバイス１０４上で行われ得る。例えば、図１に関して説明されたワイヤレス通信デバイス１０４は、バーストレベルの同調を行い得る。
【００７１】
[0081]  転送回線６１４ａは、第１の転送ブロック６３８ａと第２の転送ブロック６３８ｂとを含み得る。各転送ブロック６３８は４個の転送フレーム６４４を含むことができ、各転送フレーム６４４は８個の転送フレームスロット（図示されず）を含むことができる。
【００７２】
[0082]  アイドル回線６１４ｂは、上で図５に関して説明されたページングブロック５３０の一例であり得るページングブロック６３０を含み得る。ページングブロック６３０は４個のページングフレーム６４２を含み得る。各ページングフレーム６４２は８個のページングスロット（図示されず）を含み得る。
【００７３】
[0083]  ページングブロック６３０は、転送ブロック６３８ａ〜ｂと揃えられていないことがある。例えば、ページングブロック６３０の最初の３個のページングフレーム６４２は、第１の転送ブロック６３８ａの最後の３個の転送フレーム６４４とおおよそ重複することがある。ページングブロック６３０の最後のページングフレーム６４２は、第２の転送ブロック６３８ｂの最初の転送フレーム６４４とおおよそ重複することがある。本明細書で使用される場合、「おおよそ重複する」という用語は、ページングフレーム６４２中のページングフレームスロット５５０の少なくとも半分が、対応する転送フレーム６４４の転送フレームスロット５５２の少なくとも半分と揃うことを指し得る。
【００７４】
[0084]  ワイヤレス通信デバイス１０４は、転送回線６１４ａとアイドル回線６１４ｂとの間でバーストレベルの同調を行い得る。ページングブロック６３０は第１の転送ブロック６３８ａと第２の転送ブロック６３８ｂの両方と重複することがあるので、離れる同調６３２および戻る同調６３４は第１の転送ブロック６３８ａと第２の転送ブロック６３８ｂの両方の間に生じ得る。例えば、ワイヤレス通信デバイス１０４は、第１の転送ブロック６３８ａからの第１の離れる同調６３２ａと、第１の転送ブロック６３８ａへの第１の戻る同調６３４ａと、第１の転送ブロック６３８ａからの第２の離れる同調６３２ｂと、第１の転送ブロック６３８ａへの第２の戻る同調６３４ｂと、第１の転送ブロック６３８ａからの第３の離れる同調６３２ｃと、第１の転送ブロック６３８ａへの第３の戻る同調６３４ｃとを行い得る。ワイヤレス通信デバイス１０４はまた、第２の転送ブロック６３８ｂの間に、第４の離れる同調６３２ｄと第４の戻る同調６３４ｄとを行い得る。
【００７５】
[0085]  離れる同調６３２および戻る同調６３４は、上で説明されたように行われ得る。例えば、離れる同調６３２および戻る同調６３４は、バーストレベルで行われ得る。
【００７６】
[0086]  いくつかの構成では、ワイヤレス通信デバイス１０４が、１つまたは複数の同時の手順を行うことを取り消し得る。例えば、ワイヤレス通信デバイス１０４は、データ喪失の影響を、転送回線６１４ａ上での単一の転送ブロック６３８に限定するために、バーストレベルの同調の１つのセットを行うことを取り消し得る。ページングブロック６３０中のページングフレーム６４２は、第２の転送ブロック６３８ｂの中の転送フレーム６４４よりも、第１の転送ブロック６３８ａの中の転送フレーム６４４と多く重複するので、第２の転送ブロック６３８ｂに対応するバーストレベルの同調のセットは取り消され得る。言い換えると、第４の離れる同調６３２ｄおよび第４の戻る同調６３４ｄは取り消され得る。バーストレベルの同調の１つのセットだけが取り消される場合、ワイヤレス通信デバイスは依然として、発生したバーストレベルの同調の残りのセットを通じて必要とされる、全ての必要なページング情報を取得することが可能である。従って、転送回線６１４ａのスループットは、転送データ４４０の何らかの喪失を第２の転送ブロック６３８ｂのみに限定することによって、改善され得る。
【００７７】
[0087]  図７は、本発明のいくつかの実施形態による、転送回線７１４ａ上の無線ブロックとアイドル回線７１４ｂ上の無線ブロックとの間でのバーストレベルの同調のさらに別の例を示すブロック図である。バーストレベルの同調はワイヤレス通信デバイス１０４で行われ得る。例えば、図１に関して説明されたワイヤレス通信デバイス１０４は、バーストレベルの同調を行い得る。
【００７８】
[0088]  転送回線７１４ａは第１の転送ブロック７３８ａと第２の転送ブロック７３８ｂとを含み得る。第１の転送ブロック７３８ａおよび第２の転送ブロック７３８ｂは、上の図５に関して説明された転送回線５１４ａの一例であり得る。各転送ブロック７３８は４個の転送フレーム７４４を含み得る。各転送フレーム７４４は８個の転送フレームスロット（図示されず）を含み得る。
【００７９】
[0089]  アイドル回線７１４ｂは、上で図５に関して説明されたページングブロック５３０の一例であり得るページングブロック７３０を含み得る。各ページングブロック７３０は４個のページングフレーム７４２を含み得、各ページングフレーム７４２は８個のページングフレームスロット（図示されず）を含み得る。
【００８０】
[0090]  ページングブロック７３０は、転送ブロック７３８ａ〜ｂと揃えられていないことがある。例えば、ページングブロック７３０の最初の２個のページングフレーム７４２は、第１の転送ブロック７３８ａの最後の２個の転送フレーム７４４とおおよそ重複することがある。ページングブロック７３０の最後の２個のページングフレーム７４２は、第２の転送ブロック７３８ｂの最初の２個の転送フレーム７４４とおおよそ重複することがある。
【００８１】
[0091]  ワイヤレス通信デバイス１０４は、転送回線７１４ａとアイドル回線７１４ｂとの間でバーストレベルの同調を行い得る。ページングブロック７３０は第１の転送ブロック７３８ａと第２の転送ブロック７３８ｂの両方と重複するため、離れる同調（７３２）および戻る同調（７３４）は第１の転送ブロック７３８ａと第２の転送ブロック７３８ｂの両方の間に生じ得る。例えば、ワイヤレス通信デバイス１０４は、第１の転送ブロック７３８ａからの第１の離れる同調７３２ａと、第１の転送ブロック７３８ａへの第１の戻る同調７３４ａと、第１の転送ブロック７３８ａからの第２の離れる同調７３２ｂと、第１の転送ブロック７３８ａへの第２の戻る同調７３４ｂとを行い得る。ワイヤレス通信デバイス１０４はまた、第２の転送ブロック７３８ｂの間に、第３の離れる同調７３２ｃと、第３の戻る同調７３４ｃと、第４の離れる同調７３２ｄと、第４の戻る同調７３４ｄとを行い得る。
【００８２】
[0092]  離れる同調７３２および戻る同調７３４は、上で説明されたように行われ得る。例えば、離れる同調７３２および戻る同調７３４は、バーストレベルで行われ得る。
【００８３】
[0093]  いくつかの構成では、ワイヤレス通信デバイス１０４が、１つまたは複数の同時の手順を取り消し得る。例えば、ワイヤレス通信デバイス１０４は、第１の転送ブロック７３８ａに対応するバーストレベルの同調のセット（例えば、第１の離れる同調７３２ａ、第１の戻る同調７３４ａ、第２の離れる同調７３２ｂ、および第２の戻る同調７３４ｂ）を取り消し得る。別の例として、ワイヤレス通信デバイス１０４は、第２の転送ブロック７３８ｂに対応するバーストレベルの同調のセット（例えば、第３の離れる同調７３２ｃ、第３の戻る同調７３４ｃ、第４の離れる同調７３２ｄ、および第４の戻る同調７３４ｄ）を取り消し得る。
【００８４】
[0094]  ワイヤレス通信デバイス１０４がバーストレベルの同調の複数のセットを取り消す場合、ワイヤレス通信デバイス１０４は、アイドル回線手順を行うためにアイドル回線７１４ｂで十分なデータを受信できないことがある。例えば、ワイヤレス通信デバイス１０４が、第１の離れる同調７３２ａと、第１の戻る同調７３４ａと、第２の離れる同調７３２ｂと、第２の戻る同調７３４ｂとを取り消す場合、または、ワイヤレス通信デバイス１０４が、第３の離れる同調７３２ｃと、第３の戻る同調７３４ｃと、第４の離れる同調７３２ｄと、第４の戻る同調７３４ｄとを取り消す場合、ワイヤレス通信デバイス１０４は、完全な制御メッセージ４３６を受信できないことがある。言い換えると、ワイヤレス通信デバイス１０４がバーストレベルの同調の複数のセットを取り消す場合、アイドル回線７１４ｂでの同時の処理が生じないことがある。
【００８５】
[0095]  ワイヤレス通信デバイス１０４がバーストレベルの同調のセットのいずれも取り消さない場合、転送回線７１４ａとアイドル回線７１４ｂの同時の処理が生じ得る。しかしながら、この構成では、複数の転送ブロック７３８の喪失が発生し得る。言い換えると、複数の転送ブロック７３８ａ〜ｂにわたる、離れる同調７３２と戻る同調７３４の結果として、転送データ４４０のスループットは低下し得る。
【００８６】
[0096]  図８は、本発明のいくつかの実施形態による、転送回線８１４ａ上の無線ブロックとアイドル回線８１４ｂ上の無線ブロックとの間でのバーストレベルの同調の別の例を示すブロック図である。バーストレベルの同調はワイヤレス通信デバイス１０４で行われ得る。例えば、図１に関して説明されたワイヤレス通信デバイス１０４はバーストレベルの同調を行い得る。
【００８７】
[0097]  転送回線８１４ａは、第１の転送ブロック８３８ａと第２の転送ブロック８３８ｂとを含み得る。第１の転送ブロック８３８ａおよび第２の転送ブロック８３８ｂは、上の図５に関して説明された転送回線５１４ａの一例であり得る。各転送ブロック８３８は４個の転送フレーム８４４を含み得る。各転送フレーム８４４は８個の転送フレームスロット（図示されず）を含み得る。
【００８８】
[0098]  アイドル回線８１４ｂは、上で図５に関して説明されたページングブロック５３０の一例であり得るページングブロック８３０を含み得る。各ページングブロック８３０は４個のページングフレーム８４２を含み得る。各ページングフレーム８４２は８個のページングフレームスロット（図示されず）を含み得る。
【００８９】
[0099]  ページングブロック８３０は、転送ブロック８３８ａ〜ｂと揃えられていないとがある。例えば、ページングブロック８３０の最初のページングフレーム８４２は、第１の転送ブロック８３８ａの最後の転送フレーム８４４とおおよそ重複していることがある。ページングブロック８３０の最後の３個のページングフレーム８４２は、第２の転送ブロック８３８ｂの最初の３個の転送フレーム８４４とおおよそ重複していることがある。
【００９０】
[00100]  ワイヤレス通信デバイス１０４は、転送回線８１４ａとアイドル回線８１４ｂとの間でのバーストレベルの同調を行い得る。ページングブロック８３０は第１の転送ブロック８３８ａと第２の転送ブロック８３８ｂの両方と重複するので、離れる同調８３２および戻る同調８３４は第１の転送ブロック８３８ａと第２の転送ブロック８３８ｂの両方の間に生じ得る。例えば、ワイヤレス通信デバイス１０４は、第１の転送ブロック８３８ａの間に、アイドル回線８１４ｂへの第１の離れる同調８３２ａと、転送回線８１４ａへの第１の戻る同調８３４ａとを行い得る。ワイヤレス通信デバイス１０４はまた、第２の転送ブロック８３８ｂの間に、第２の離れる同調８３２ｂと、第２の戻る同調８３４ｂと、第３の離れる同調８３２ｃと、第３の戻る同調８３４ｃと、第４の離れる同調８３２ｄと、第４の戻る同調８３４ｄとを行い得る。
【００９１】
[00101]  離れる同調８３２および戻る同調８３４は、上で説明されたように行われ得る。例えば、離れる同調８３２および戻る同調８３４は、バーストレベルで行われ得る。
【００９２】
[00102]  いくつかの構成では、ワイヤレス通信デバイス１０４が、同時の手順を行うことを取り消し得る。例えば、ワイヤレス通信デバイス１０４は、第１の転送ブロック８３８ａに対応するバーストレベルの同調のセットを取り消し得る。ページングブロック８３０中のページングフレーム８４２は、第１の転送ブロック８３８ｂの中の転送フレーム８４４よりも、第２の転送ブロック８３８ｂの中の転送フレーム８４４と多く重複するので、第１の転送ブロック８３８ａに対応するバーストレベルの同調のセットは取り消され得る。言い換えると、第１の離れる同調８３２ａおよび第１の戻る同調８３４ａは取り消され得る。バーストレベルの同調の１つのセットだけが取り消される場合、ワイヤレス通信デバイス１０４は依然として、発生したバーストレベルの同調の残りのセットを通じて必要とされる、全ての必要なページング情報を取得することが可能であり得る。従って、転送回線８１４ａのスループットは、転送データ４４０の何らか喪失を第１の転送ブロック８３８ａのみに限定することによって、改善され得る。このようにして、ワイヤレス通信デバイス１０４は依然として、残りの３つのバーストレベルのセット（例えば、第２の離れる同調８３２ｂ、第２の戻る同調８３４ｂ、第３の離れる同調８３２ｃ、第３の戻る同調８３４ｃ、第４の離れる同調８３２ｄ、および第４の戻る同調８３４ｄ）を通じて、転送回線８１４ａとアイドル回線８１４ｂで同時の手順を行い得る。
【００９３】
[00103]  図９は、本明細書で開示されるシステムおよび方法が利用され得る、ワイヤレス通信システム９００の例を示す。ワイヤレス通信システム９００は、複数の基地局９０２と複数のワイヤレス通信デバイス９０４とを含む。各基地局９０２は、特定の地理的エリア９６０に対して通信カバレッジを提供する。「セル」という用語は、この用語が使用される文脈に応じて、基地局９０２および／またはそのカバレッジエリア９６０を指し得る。
【００９４】
[00104]  システム容量を向上させるために、基地局カバレッジエリア９６０は、複数のより小さなエリア、例えば、３つの小さなエリア９６２ａ、９６２ｂ、および９６２ｃに区分され得る。各々のより小さなエリア９６２ａ、９６２ｂ、および９６２ｃは、それぞれの無線基地局装置（ＢＴＳ）によってサービスされ得る。「セクタ」という用語は、この用語が使用される文脈に応じて、ＢＴＳおよび／またはそのカバレッジエリア９６２を指し得る。セクタ化されたセルの場合、そのセルの全てのセクタのＢＴＳは通常、そのセルの基地局９０２内に併設される。
【００９５】
[00105]  ワイヤレス通信デバイス９０４は通常、ワイヤレス通信システム９００全体にわたって分散する。ワイヤレス通信デバイス９０４は、任意の所与の瞬間に、ダウンリンクおよび／またはアップリンクで、１つまたは複数の基地局９０２と通信し得る。ダウンリンク（または順方向リンク）は、基地局９０２からワイヤレス通信デバイス９０４への通信リンクを指し、アップリンク（または逆方向リンク）は、ワイヤレス通信デバイス９０４から基地局９０２への通信リンクを指す。アップリンクおよびダウンリンクは、通信リンク、または通信リンクに使用されるキャリアを指し得る。
【００９６】
[00106]  集中型アーキテクチャの場合、システムコントローラ９５８は、基地局９０２に結合して、基地局９０２のための調整と制御とを行い得る。システムコントローラ９５８は、単一のネットワークエンティティまたはネットワークエンティティの集合であり得る。分散型アーキテクチャの場合、基地局９０２は、必要に応じて互いに通信し得る。
【００９７】
[00107]  図１０は、ワイヤレス通信システム１０００中の送信機１０７０および受信機１０７２のブロック図を示す。ダウンリンクでは、送信機１０７０が基地局１０２の一部であってよく、受信機１０７２がワイヤレス通信デバイス１０４の一部であってよい。アップリンクでは、送信機１０７０がワイヤレス通信デバイス１０４の一部であってよく、受信機１０７２が基地局１０２の一部であってよい。
【００９８】
[00108]  送信機１０７０において、送信（ＴＸ）データプロセッサ１０７４は、データ１０７６を受信して処理（例えば、フォーマット、符号化、およびインターリーブ）し、コーディングされたデータを提供する。変調器１０７８は、コーディングされたデータの変調を行い、変調された信号を提供する。変調器１０７８は、ＧＳＭではガウス型最小シフトキーイング（ＧＭＳＫ）を、Ｅｎｈａｎｃｅｄ  Ｄａｔａ  ｒａｔｅｓ  ｆｏｒ  Ｇｌｏｂａｌ  Ｅｖｏｌｕｔｉｏｎ（ＥＤＧＥ）では８位相シフトキーイング（８ＰＳＫ）を行うことなどができる。ＧＭＳＫは連続位相変調プロトコルであり、８ＰＳＫはデジタル変調プロトコルである。送信機ユニット（ＴＭＴＲ）１０８０は、変調された信号を調整（例えば、フィルタリング、増幅、およびアップコンバート）し、ＲＦ変調された信号を生成し、そのＲＦ変調された信号はアンテナ１０１０を介して送信される。
【００９９】
[00109]  受信機１０７２において、アンテナ１０２４は送信機１０７０および他の送信機からＲＦ変調された信号を受信する。アンテナ１０２４は受信されたＲＦ信号を受信機ユニット（ＲＣＶＲ）１０８２に提供する。受信機ユニット１０８２は受信されたＲＦ信号を調整（例えば、フィルタリング、増幅、およびダウンコンバート）し、その調整された信号をデジタル化し、サンプルを提供する。復調器１０８４は、以下で説明されるようにサンプルを処理し、復調されたデータを提供する。受信（ＲＸ）データプロセッサ１０８６は復調されたデータを処理（例えば、デインターリーブおよび復号）し、復号されたデータ１０８８を提供する。一般に、復調器１０８４およびＲＸデータプロセッサ１０８６による処理は、それぞれ送信機１０７０の変調器１０７８およびＴＸデータプロセッサ１０７４による処理を補足するものである。
【０１００】
[00110]  コントローラ／プロセッサ１０９０および１０９２はそれぞれ、送信機１０７０および受信機１０７２における動作を指示する。メモリ１０９６および１０９８は、それぞれ送信機１０７０および受信機１０７２によって使用される、コンピュータソフトウェアの形態のプログラムコードとデータとを記憶する。
【０１０１】
[00111]  図１１は、本発明のいくつかの実施形態による、ワイヤレス通信デバイス１１０４内に含まれ得るいくつかのコンポーネントを示す図である。ワイヤレス通信デバイス１１０４は、アクセス端末、移動局、ユーザ機器（ＵＥ）などであり得る。ワイヤレス通信デバイス１１０４はプロセッサ１１０３を含む。プロセッサ１１０３は、汎用のシングルチップまたはマルチチップのマイクロプロセッサ（例えば、ＡＲＭ）、専用マイクロプロセッサ（例えば、デジタル信号プロセッサ（ＤＳＰ））、マイクロコントローラ、プログラマブルゲートアレイなどであり得る。プロセッサ１１０３は、中央処理ユニット（ＣＰＵ）と呼ばれ得る。図１１のワイヤレス通信デバイス１１０４中に単一のプロセッサ１１０３のみが示されているが、代替構成では、プロセッサの組合せ（例えば、ＡＲＭとＤＳＰ）が使用され得る。
【０１０２】
[00112]  ワイヤレス通信デバイス１１０４はメモリ１１０５も含む。メモリ１１０５は、電子情報を記憶することが可能な任意の電子部品であり得る。メモリ１１０５は、ランダムアクセスメモリ（ＲＡＭ）、読取り専用メモリ（ＲＯＭ）、磁気ディスク記憶媒体、光記憶媒体、ＲＡＭ内のフラッシュメモリデバイス、プロセッサに含まれるオンボードメモリ、ＥＰＲＯＭメモリ、ＥＥＰＲＯＭ（登録商標）メモリ、レジスタなどとして、それらの組合せを含めて、具現化され得る。
【０１０３】
[00113]  データ１１０７ａおよび複数の命令１１０９ａは、メモリ１１０５に記憶され得る。これら命令１１０９ａは、本明細書で開示される方法を実施するためにプロセッサ１１０３によって実行可能である。これら命令１１０９ａを実行することは、メモリ１１０５に記憶されたデータ１１０７ａの使用を伴い得る。プロセッサ１１０３がこれら命令１１０９を実行すると、これら命令１１０９ｂの様々な部分がプロセッサ１１０３上にロードされてよく、様々なデータ１１０７ｂがプロセッサ１１０３上にロードされてよい。
【０１０４】
[00114]  ワイヤレス通信デバイス１１０４はまた、アンテナ１１１７を介したワイヤレス通信デバイス１１０４での信号の送信と受信とを可能にするために、送信機１１１１と受信機１１１３とを含み得る。送信機１１１１と受信機１１１３は、送受信機１１１５と総称され得る。ワイヤレス通信デバイス１１０４は、複数の送信機、複数のアンテナ、複数の受信機、および／または複数の送受信機（図示されず）も含み得る。
【０１０５】
[00115]  ワイヤレス通信デバイス１１０４はデジタル信号プロセッサ（ＤＳＰ）１１２１を含み得る。ワイヤレス通信デバイス１１０４は通信インターフェース１１２３も含み得る。通信インターフェース１１２３は、ユーザがワイヤレス通信デバイス１１０４と対話することを可能にし得る。
【０１０６】
[00116]  ワイヤレス通信デバイス１１０４の様々なコンポーネントは、電力バス、制御信号バス、ステータス信号バス、データバスなどを含む、１つまたは複数のバスによって互いに結合され得る。明確にするために、図１１では様々なバスはバスシステム１１１９として示される。
【０１０７】
[00117]  上の説明では、様々な用語とともに参照番号が時々使用された。用語が参照番号とともに使用されている場合、図の１つまたは複数に示された特定の要素を指すことが意図される。用語が参照番号を伴わずに使用されている場合、一般に、特定の図に限定されない用語を指すことが意図される。
【０１０８】
[00118]  本明細書で説明される技法は、ｇｌｏｂａｌ  ｓｙｓｔｅｍ  ｆｏｒ  ｍｏｂｉｌｅ  ｃｏｍｍｕｎｉｃａｔｉｏｎｓ（ＧＳＭ）を利用する通信システムを含む、様々な通信システムに使用され得る。ＧＳＭは、セルラー式のワイヤレス通信において普及している規格である。ＧＳＭは、標準的な音声サービスでは比較的効率的である。しかしながら、ハイファイのオーディオおよびデータサービスは、ＧＳＭが最適化されているデータスループットレートよりも高いデータスループットレートを必要とする。容量を向上させるために、ｇｅｎｅｒａｌ  ｐａｃｋｅｔ  ｒａｄｉｏ  ｓｅｒｖｉｃｅ（ＧＰＲＳ）、ｅｎｈａｎｃｅｄ  ｄａｔａ  ｒａｔｅｓ  ｆｏｒ  ＧＳＭ  ｅｖｏｌｕｔｉｏｎ（ＥＤＧＥ）およびｕｎｉｖｅｒｓａｌ  ｍｏｂｉｌｅ  ｔｅｌｅｃｏｍｍｕｎｉｃａｔｉｏｎｓ  ｓｙｓｔｅｍ（ＵＭＴＳ）規格がＧＳＭシステムに採用されている。ＧＳＭ／ＥＤＧＥ無線アクセスネットワーク（ＧＥＲＡＮ）規格では、ＧＰＲＳおよびＥＧＰＲＳがデータサービスを提供する。ＧＥＲＡＮの規格は３ＧＰＰ（第３世代パートナーシッププロジェクト）によって管理されている。ＧＥＲＡＮはＧＳＭの一部である。より具体的には、ＧＥＲＡＮは、基地局（ＡｔｅｒおよびＡｂｉｓインターフェース）と基地局コントローラ（Ａインターフェースなど）とを結合するネットワークであるとともにＧＳＭ／ＥＤＧＥの無線部分である。ＧＥＲＡＮはＧＳＭネットワークの中核部分を表す。ＧＥＲＡＮは、公衆交換電話網（ＰＴＳＮ）およびインターネットとリモート端末との間で、電話呼とパケットデータとをルーティングする。ＧＥＲＡＮはまた、複合ＵＭＴＳ／ＧＳＭネットワークの一部である。
【０１０９】
[00119]  ＧＳＭは、スペクトルリソースを共有する目的で、時分割多元接続（ＴＤＭＡ）と周波数分割多元接続（ＦＤＭＡ）との組合せを利用する。ＧＳＭネットワークは、一般に、いくつかの周波数帯域中で動作する。例えば、アップリンク通信では、ＧＳＭ−９００が、通常、８９０〜９１５メガヘルツ（ＭＨｚ）帯域中の無線スペクトルを使用する（移動局から無線基地局装置）。ダウンリンク通信では、ＧＳＭ  ９００が９３５〜９６０ＭＨｚ帯域を使用する（基地局からワイヤレス通信デバイス）。さらに、各周波数帯域は２００ｋＨｚのキャリア周波数に分割され、２００ｋＨｚで離間された１２４個の高周波（ＲＦ）チャネルをもたらす。ＧＳＭ−１９００は、アップリンクでは１８５０〜１９１０ＭＨｚ帯域を使用し、ダウンリンクでは１９３０〜１９９０ＭＨｚ帯域を使用する。ＧＳＭ  ９００と同様に、ＦＤＭＡは、アップリンクとダウンリンクの両方のスペクトルを２００ｋＨｚ幅のキャリア周波数に分割する。同様に、ＧＳＭ−８５０は、アップリンクでは８２４〜８４９ＭＨｚ帯域を使用し、ダウンリンクでは８６９〜８９４ＭＨｚ帯域を使用し、一方ＧＳＭ−１８００は、アップリンクでは１７１０〜１７８５ＭＨｚ帯域を使用し、ダウンリンクでは１８０５〜１８８０ＭＨｚ帯域を使用する。
【０１１０】
[00120]  ＧＳＭにおける各チャネルは、特定の絶対無線周波数チャネル（ＡＲＦＣＮ）によって識別される。例えば、ＡＲＦＣＮ  １〜１２４はＧＳＭ  ９００のチャネルに割り当てられ、ＡＲＦＣＮ  ５１２〜８１０はＧＳＭ  １９００のチャネルに割り当てられる。同様に、ＡＲＦＣＮ  １２８〜２５１はＧＳＭ  ８５０のチャネルに割り当てられ、ＡＲＦＣＮ  ５１２〜８８５はＧＳＭ  １８００のチャネルに割り当てられる。
【０１１１】
[00121]  さらに、各基地局は、１つまたは複数のキャリア周波数を割り当てられ得る。各キャリア周波数は、持続期間が４．６１５ミリ秒（ｍｓ）である１つのＴＤＭＡフレームを形成するように、ＴＤＭＡを使用して８つの連続するタイムスロットに分割される。物理チャネルは、ＴＤＭＡフレーム内の１つのタイムスロットを占有する。各々のアクティブなワイヤレス通信デバイスまたはユーザは、呼の持続期間の間、１つまたは複数のタイムスロットインデックスを割り当てられる。各ワイヤレス通信デバイスのユーザ固有のデータは、そのワイヤレス通信デバイスに割り当てられた（１つまたは複数の）タイムスロット中に、およびトラフィックチャネルのために使用されるＴＤＭＡフレーム中に送信される。
【０１１２】
[00122]  本明細書で説明された技法はまた、直交多重化方式に基づく通信システムを含む様々な通信システムに使用され得る。そのような通信システムの例は、直交周波数分割多元接続（ＯＦＤＭＡ）システム、シングルキャリア周波数分割多元接続（ＳＣ−ＦＤＭＡ）システムなどを含む。ＯＦＤＭＡシステムは、全システム帯域幅を複数の直交サブキャリアに区分する変調技法である、直交周波数分割多重化（ＯＦＤＭ）を利用する。これらのサブキャリアは、トーン、ビンとも呼ばれ得る。ＯＦＤＭでは、各サブキャリアが独立してデータにより変調され得る。ＳＣ−ＦＤＭＡシステムは、システム帯域幅にわたって分散されたサブキャリア上で送信するためのｉｎｔｅｒｌｅａｖｅｄ  ＦＤＭＡ（ＩＦＤＭＡ）、隣接するサブキャリアのブロック上で送信するためのｌｏｃａｌｉｚｅｄ  ＦＤＭＡ（ＬＦＤＭＡ）、または隣接するサブキャリアの複数のブロック上で送信するためのｅｎｈａｎｃｅｄ  ＦＤＭＡ（ＥＦＤＭＡ）を利用し得る。一般に、変調シンボルは、ＯＦＤＭでは周波数領域で、ＳＣ−ＦＤＭＡでは時間領域で送信される。
【０１１３】
[00123]  「決定すること」という用語は、多種多様な動作を包含し、従って、「決定すること」は、計算すること、算出すること、処理すること、導出すること、調査すること、探索すること（例えば、テーブル、データベースまたは別のデータ構造において探索すること）、確認することなどを含み得る。また、「決定すること」は、受信すること（例えば、情報を受信すること）、アクセスすること（例えば、メモリ中のデータにアクセスすること）などを含み得る。また、「決定すること」は、解決すること、選択すること、選定すること、確立することなどを含み得る。
【０１１４】
[00124]  「に基づいて」という句は、別段に明記されていない限り、「のみに基づいて」を意味しない。言い換えれば、「に基づいて」という句は、「のみに基づいて」と「に少なくとも基づいて」の両方を表す。
【０１１５】
[00125]  「プロセッサ」という用語は、汎用プロセッサ、中央演算処理装置（ＣＰＵ）、マイクロプロセッサ、デジタル信号プロセッサ（ＤＳＰ）、コントローラ、マイクロコントローラ、状態機械などを包含するものと広く解釈されるべきである。いくつかの状況下では、「プロセッサ」が、特定用途向け集積回路（ＡＳＩＣ）、プログラマブル論理デバイス（ＰＬＤ）、フィールドプログラマブルゲートアレイ（ＦＰＧＡ）などを指し得る。「プロセッサ」という用語は、処理デバイスの組合せ、例えば、ＤＳＰとマイクロプロセッサとの組合せ、複数のマイクロプロセッサ、ＤＳＰコアと連携する１つまたは複数のマイクロプロセッサ、あるいは任意の他のそのような構成を指し得る。
【０１１６】
[00126]  「メモリ」という用語は、電子情報を記憶することが可能な任意の電子コンポーネントを包含するものと広く解釈されるべきである。「メモリ」という用語は、ランダムアクセスメモリ（ＲＡＭ）、読取り専用メモリ（ＲＯＭ）、不揮発性ランダムアクセスメモリ（ＮＶＲＡＭ）、プログラマブル読取り専用メモリ（ＰＲＯＭ）、消去可能プログラマブル読取り専用メモリ（ＥＰＲＯＭ）、電気的消去可能ＰＲＯＭ（ＥＥＰＲＯＭ）、フラッシュメモリ、磁気または光学データストレージ、レジスタなどのような、様々なタイプのプロセッサ可読媒体を指し得る。プロセッサがメモリから情報を読み取り、かつ／またはメモリに情報を書き込むことができる場合、メモリはプロセッサと電子通信していると言われる。プロセッサに一体化されたメモリは、プロセッサと電子通信している。
【０１１７】
[00127]  「命令」および「コード」という用語は、任意のタイプのコンピュータ可読ステートメントを含むものと広く解釈されるべきである。例えば、「命令」および「コード」という用語は、１つまたは複数のプログラム、ルーチン、サブルーチン、関数、プロシージャなどを指し得る。「命令」および「コード」は、単一のコンピュータ可読ステートメント、または、多数のコンピュータ可読ステートメントを備え得る。
【０１１８】
[00128]  本明細書で説明された機能は、ハードウェアによって実行されるソフトウェアまたはファームウェアで実装され得る。その機能は、コンピュータ可読媒体上の１つまたは複数の命令として記憶され得る。「コンピュータ可読媒体」または「コンピュータプログラム製品」という用語は、コンピュータまたはプロセッサによってアクセスされ得る、任意の実体を持った記憶媒体を指す。限定ではなく例として、コンピュータ可読媒体は、ＲＡＭ、ＲＯＭ、ＥＥＰＲＯＭ、ＣＤ−ＲＯＭもしくは他の光ディスクストレージ、磁気ディスクストレージもしくは他の磁気ストレージデバイス、または、命令もしくはデータ構造の形態で所望のプログラムコードを搬送または記憶するために使用されコンピュータによってアクセスされ得る、任意の他の媒体を備え得る。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザで光学的に再生する。コンピュータ可読媒体は、実体を持ち、非一時的であり得ることに留意されたい。「コンピュータプログラム製品」という用語は、コンピューティングデバイスもしくはプロセッサによって実行、処理または計算され得る、コードまたは命令（例えば、「プログラム」）と組み合わされた、コンピューティングデバイスまたはプロセッサを指す。本明細書で使用される場合、「コード」という用語は、コンピューティングデバイスまたはプロセッサによって実行可能であるソフトウェア、命令、コードまたはデータを指し得る。
【０１１９】
[00129]  ソフトウェアまたは命令はまた、伝送媒体を通じて送信され得る。例えば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、伝送媒体の定義に含まれる。
【０１２０】
[00130]  本明細書で開示される方法は、説明された方法を達成するための１つまたは複数のステップまたは動作を備える。本方法のステップおよび／または動作は、特許請求の範囲から逸脱することなく互いに交換され得る。言い換えれば、説明されている方法の適切な動作のためにステップまたは動作の特定の順序が必要とされない限り、特定のステップおよび／または動作の順序および／または使用は、特許請求の範囲から逸脱することなく修正され得る。
【０１２１】
[00131]  さらに、図２〜３によって例示されたもののような、本明細書で説明された方法と技術とを行うためのモジュールおよび／もしくは他の適切な手段はダウンロードされることが可能であり、かつ／または、デバイスによって他の方法で取得されることが可能であることを理解されたい。例えば、デバイスは、本明細書で説明される方法を行うための手段の転送を容易にするために、サーバに結合され得る。代替的に、本明細書で説明された様々な方法は、記憶手段をデバイスに結合するかまたは提供するときにデバイスが様々な方法を取得できるように、記憶手段（例えば、ランダムアクセスメモリ（ＲＡＭ）、読取り専用メモリ（ＲＯＭ）、コンパクトディスク（disc）（ＣＤ）またはフロッピーディスク（disk）のような物理的記憶媒体など）を介して提供され得る。その上、本明細書で説明された方法と技法とをデバイスに与えるための任意の他の好適な技法が利用され得る。
【０１２２】
[00132]  特許請求の範囲は、上で示された構成およびコンポーネントのままに限定されないことを理解されたい。特許請求の範囲から逸脱することなく、本明細書で説明されたシステム、方法、および装置の構成、動作および詳細において、様々な修正、変更および変形が行われ得る。
以下に、本願出願の当初の特許請求の範囲に記載された発明を付記する。
[Ｃ１]  ワイヤレス通信デバイス上で同時の手順をスケジューリングするための方法であって、
第１の回線を介して通信することと、
第２の回線との同時のバーストレベルの離れる同調手順を行うことと、
前記第１の回線を介して通信することに戻ることとを備える、方法。
[Ｃ２]  前記第２の回線との前記同時のバーストレベルの離れる同調手順を行うことは、
前記第２の回線に離れるように同調することと、
前記第２の回線を介して同時に通信することと、
前記第１の回線へ戻るように同調することとを備える、Ｃ１に記載の方法。
[Ｃ３]  前記第２の回線を介して通信することは、共通制御チャネルを介して通信することを備える、Ｃ２に記載の方法。
[Ｃ４]  前記共通制御チャネルは、ページングチャネル、ブロードキャスト制御チャネル、および共有チャネルの１つである、Ｃ３に記載の方法。
[Ｃ５]  前記第１の回線は転送回線であり、前記第２の回線はアイドル回線である、Ｃ２に記載の方法。
[Ｃ６]  前記転送回線は第１の転送ブロックを備え、前記アイドル回線はアイドルブロックを備え、前記第１の転送ブロックは前記アイドルブロックと重複する、Ｃ５に記載の方法。
[Ｃ７]  前記アイドル回線に離れるように同調することと、前記アイドル回線を介して同時に通信することと、前記転送回線へ戻るように同調することとは、前記第１の転送ブロックの間に複数回生じる、Ｃ６に記載の方法。
[Ｃ８]  前記転送回線はさらに第２の転送ブロックを備え、前記第２の回線との前記同時のバーストレベルの離れる同調手順を行う間に、前記第２の転送ブロックが失われる、Ｃ６に記載の方法。
[Ｃ９]  前記第１の転送ブロックおよび前記第２の転送ブロックは複数の転送フレームを備え、前記アイドルブロックは複数の制御フレームを備える、Ｃ８に記載の方法。
[Ｃ１０]  前記第１の転送ブロックの前記転送フレームは、前記アイドルブロックの前記制御フレームと揃えられていない、Ｃ９に記載の方法。
[Ｃ１１]  前記第２の回線との前記同時のバーストレベルの離れる同調手順を行うことが、前記複数の制御フレームの最初のフレームの間に取り消される、Ｃ９に記載の方法。
[Ｃ１２]  前記第２の回線との前記同時のバーストレベルの離れる同調手順を行うことが、前記複数の制御フレームの最後のフレームの間に取り消される、Ｃ９に記載の方法。
[Ｃ１３]  音声データ送信とユーザデータ送信の１つが、前記転送回線を介して受信される、Ｃ５に記載の方法。
[Ｃ１４]  前記第１の回線は第１の基地局に対応し、前記第２の回線は第２の基地局に対応する、Ｃ１に記載の方法。
[Ｃ１５]  前記第１の回線および前記第２の回線は単一の基地局に対応する、Ｃ１に記載の方法。
[Ｃ１６]  前記第１の回線は第１の加入者識別モジュールモードで動作することに対応し、前記第２の回線は第２の加入者識別モジュールモードでの動作に対応する、Ｃ１に記載の方法。
[Ｃ１７]  単一の送受信機で行われる、Ｃ１に記載の方法。
[Ｃ１８]  ワイヤレス通信デバイス上で同時の手順をスケジューリングするための装置であって、
プロセッサと、
前記プロセッサと電子通信しているメモリと、
前記メモリに記憶された複数の命令とを備え、前記複数の命令は、
第１の回線を介して通信し、
第２の回線との同時のバーストレベルの離れる同調手順を行い、
前記第１の回線を介して通信することに戻る
ように前記プロセッサによって実行される、装置。
[Ｃ１９]  前記第２の回線との前記同時のバーストレベルの離れる同調手順を行うように実行可能な前記複数の命令は、
前記第２の回線に離れるように同調し、
前記第２の回線を介して同時に通信し、
前記第１の回線へ戻るように同調するように実行可能な複数の命令を備える、Ｃ１８に記載の装置。
[Ｃ２０]  前記第２の回線を介して同時に通信するように実行可能な前記複数の命令は、共通制御チャネルを介して通信するように実行可能な複数の命令を備える、Ｃ１９に記載の装置。
[Ｃ２１]  前記共通制御チャネルは、ページングチャネル、ブロードキャスト制御チャネル、および共有チャネルの１つである、Ｃ２０に記載の装置。
[Ｃ２２]  前記第１の回線は転送回線であり、前記第２の回線はアイドル回線である、Ｃ１９に記載の装置。
[Ｃ２３]  前記転送回線は第１の転送ブロックを備え、前記アイドル回線はアイドルブロックを備え、前記第１の転送ブロックは前記アイドルブロックと重複する、Ｃ２２に記載の装置。
[Ｃ２４]  前記アイドル回線に同調することと、前記アイドル回線を介して同時に通信することと、前記転送回線へ戻るように同調することとは、前記第１の転送ブロックの間に複数回生じる、Ｃ２３に記載の装置。
[Ｃ２５]  前記転送回線はさらに第２の転送ブロックを備え、前記第２の回線との前記同時のバーストレベルの離れる同調手順を行う間に、前記第２の転送ブロックが失われる、Ｃ２３に記載の装置。
[Ｃ２６]  前記第１の転送ブロックおよび前記第２の転送ブロックは複数の転送フレームを備え、前記アイドルブロックは複数の制御フレームを備える、Ｃ２５に記載の装置。
[Ｃ２７]  前記第１の転送ブロックの前記転送フレームは、前記アイドルブロックの前記制御フレームと揃えられていない、Ｃ２６に記載の装置。
[Ｃ２８]  前記第２の回線との前記同時のバーストレベルの離れる同調手順を行うことは、前記複数の制御フレームの最初のフレームの間に取り消される、Ｃ２６に記載の装置。
[Ｃ２９]  前記第２の回線との前記同時のバーストレベルの離れる同調手順を行うことは、前記複数の制御フレームの最後のフレームの間に取り消される、Ｃ２６に記載の装置。
[Ｃ３０]  音声データ送信とユーザデータ送信の１つは前記転送回線を介して受信される、Ｃ２２に記載の装置。
[Ｃ３１]  前記第１の回線は第１の基地局に対応し、前記第２の回線は第２の基地局に対応する、Ｃ１８に記載の装置。
[Ｃ３２]  前記第１の回線および前記第２の回線は単一の基地局に対応する、Ｃ１８に記載の装置。
[Ｃ３３]  前記第１の回線は第１の加入者識別モジュールモードで動作することに対応し、前記第２の回線は第２の加入者識別モジュールモードでの動作に対応する、Ｃ１８に記載の装置。
[Ｃ３４]  前記通信は単一の送受信機で行われる、Ｃ１８に記載の装置。
[Ｃ３５]  複数の命令を有する非一時的コンピュータ可読媒体を備え、ワイヤレス通信デバイス上で同時の手順をスケジューリングするためのコンピュータプログラム製品であって、前記複数の命令は、
前記ワイヤレス通信デバイスに、第１の回線を介して通信させるためのコードと、
前記ワイヤレス通信デバイスに、第２の回線との同時のバーストレベルの離れる同調手順を行わせるためのコードと、
前記ワイヤレス通信デバイスに、前記第１の回線を介して通信することへ戻させるためのコードとを備える、コンピュータプログラム製品。
[Ｃ３６]  前記第２の回線との前記同時のバーストレベルの離れる同調手順を行うための前記複数の命令は、
前記ワイヤレス通信デバイスに、前記第２の回線に離れるように同調させるためのコードと、
前記ワイヤレス通信デバイスに、前記第２の回線を介して同時に通信させるためのコードと、
前記ワイヤレス通信デバイスに、前記第１の回線へ戻るように同調させるためのコードとを備える、Ｃ３５に記載のコンピュータプログラム製品。
[Ｃ３７]  前記第１の回線は転送回線であり、前記第２の回線はアイドル回線である、Ｃ３６に記載のコンピュータプログラム製品。
[Ｃ３８]  前記転送回線は第１の転送ブロックを備え、前記アイドル回線はアイドルブロックを備え、前記第１の転送ブロックは前記アイドルブロックと重複する、Ｃ３７に記載のコンピュータプログラム製品。
[Ｃ３９]  前記転送回線はさらに第２の転送ブロックを備え、前記第２の回線との前記同時のバーストレベルの離れる同調手順を行う間に、前記第２の転送ブロックが失われる、Ｃ３８に記載のコンピュータプログラム製品。
[Ｃ４０]  前記第１の転送ブロックおよび前記第２の転送ブロックは複数の転送フレームを備え、前記アイドルブロックは複数の制御フレームを備える、Ｃ３９に記載のコンピュータプログラム製品。
[Ｃ４１]  前記第１の転送ブロックの前記転送フレームは、前記アイドルブロックの前記制御フレームと揃えられていない、Ｃ４０に記載のコンピュータプログラム製品。
[Ｃ４２]  前記第１の回線は第１の加入者識別モジュールモードで動作することに対応し、前記第２の回線は第２の加入者識別モジュールモードでの動作に対応する、Ｃ３５に記載のコンピュータプログラム製品。
【図１】
0006367210.tif 000002
【図２】
0006367210.tif 000003
【図３】
0006367210.tif 000004
【図４】
0006367210.tif 000005
【図５】
0006367210.tif 000006
【図６】
0006367210.tif 000007
【図７】
0006367210.tif 000008
【図８】
0006367210.tif 000009
【図９】
0006367210.tif 000010
【図１０】
0006367210.tif 000011
【図１１】
0006367210.tif 000012